(57)【要約】【課題】  ステンドグラスのように深みがあり、重厚な雰囲気を有する合わせガラスを提供する。【解決手段】  合わせガラス１０は、表面及び裏面を形成する一対のガラス単板１３の間に合成樹脂シート１２を介して中間ガラス単板１１を挟み、中間ガラス単板１１の一面側とガラス単板１３のとの間に着色図柄層１４を設けている。中間ガラス単板１１にはその全体にクラックが入れられている。また、着色図柄層１４によりステンドグラスの図柄が描かれている。【選択図】      図１
2005187238.tif 000002
【特許請求の範囲】
【請求項１】
表面及び裏面を形成する一対のガラス単板の間に合成樹脂層を介して中間ガラス単板を挟み、中間ガラス単板の少なくとも一面側と前記ガラス単板との間に着色図柄層を設けるとともに、前記中間ガラス単板にはその全体にクラックを入れたことを特徴とする合わせガラス。
【請求項２】
前記中間ガラス単板は、熱処理ガラスであることを特徴とする請求項１に記載の合わせガラス。
【請求項３】
前記着色図柄層は、焼き付け塗装によって形成されることを特徴とする請求項１又は請求項２に記載の合わせガラス。
【請求項４】
請求項１〜請求項３のいずれか一項に記載の合わせガラスを一部に含むことを特徴とする合わせガラス。
【発明の詳細な説明】
【技術分野】
【０００１】
本発明は、ドア、間仕切り等に好適な装飾性の高い合わせガラスに関するものである。
【背景技術】
【０００２】
この種の装飾ガラスとしては、絵柄が印刷されたポリエステルの中間シートと、中間シートの裏面に接着された基材シートと、中間シートの表面に接着剤層を介して張り合わされたガラス板とからなる装飾ガラスがある（例えば、特許文献１参照。）。
【０００３】
また、２枚のガラス板の間に、高分子膜を両面に形成した紙素材を挟んで接着した合わせガラスがある（例えば、特許文献２参照。）。紙素材には、模様や図柄があるものを用いる。
【特許文献１】実開平５−３１９３７号公報
【特許文献２】特開２００２−１２４５６号公報
【発明の開示】
【発明が解決しようとする課題】
【０００４】
ところで、近年は、装飾ガラスに対して要求される装飾性がより高くなり、例えば、ステンドグラスのように深みがあり、重厚な雰囲気を持った装飾ガラスも望まれている。
ところが、上記特許文献１に記載のものは、ポリエステルの基材シートに印刷した絵柄を、１枚のガラス板を通して見せるだけであるので、見栄えが平板であり、重厚さに欠ける。
【０００５】
また、上記特許文献２に記載のものは、２つのガラス板の間に、模様や図柄のある紙素材を挟むだけであるので、やはり見栄えが平板であり、重厚さに欠ける。
本発明の目的は、ステンドグラスのように深みがあり、重厚な雰囲気を有する合わせガラスを提供することにある。
【課題を解決するための手段】
【０００６】
上記目的を達成するため、請求項１に記載の発明は、表面及び裏面を形成する一対のガラス単板の間に合成樹脂層を介して中間ガラス単板を挟み、中間ガラス単板の少なくとも一面側と前記ガラス単板との間に着色図柄層を設けるとともに、前記中間ガラス単板にはその全体にクラックを入れたことを特徴とする。
【０００７】
請求項２に記載の発明は、請求項１に記載の発明において、前記中間ガラス単板は、熱処理ガラスであることを特徴とする。
請求項３に記載の発明は、請求項１又は請求項２に記載の発明において、前記着色図柄層は、焼き付け塗装によって形成されることを特徴とする。
【０００８】
請求項４に記載の発明は、請求項１〜請求項３のいずれか一項に記載の合わせガラスを一部に含むことを特徴とする。
【発明の効果】
【０００９】
本発明によれば、中間ガラス単板の厚さと、その全体に入れられたクラックとによって、ガラス単板を通して見える着色図柄層の図柄に深みと重厚さが加えられるので、ステンドグラスのように深みがあり、重厚な雰囲気を有する合わせガラスを提供することができる。
【発明を実施するための最良の形態】
【００１０】
次に、本発明を具体化した一実施形態を図１〜図３に従って説明する。
図３は本実施形態の合わせガラス１０を示す正面図であり、図１は同じく部分側面図である。図１に示すように、合わせガラス１０は、中間ガラス単板１１の両面に、それぞれ合成樹脂層としての合成樹脂シート１２を介してガラス単板１３が積層されている。中間ガラス単板１１、両合成樹脂シート１２及び両ガラス単板１３はそれぞれ接着によって一体化されている。
【００１１】
中間ガラス単板１１は、５５０〜７００℃となるまで熱が加えられた後に風冷されることで強化された熱処理ガラスである。なお、中間ガラス単板１１の厚さは、２．８〜１９．０ｍｍの範囲である。
【００１２】
合成樹脂シート１２は、一般の合わせガラスに用いられる周知のポリビニルブチラールである。なお、合成樹脂シート１２に代えて、合成樹脂系接着剤を用いてもよい。
各ガラス単板１３は、一般のフロートガラスよりも含有鉄分が少ない高透過ガラスである。また、各ガラス単板１３には、光触媒である酸化チタンが含有されている。
【００１３】
また、中間ガラス単板１１の一面には、図柄を描いた着色図柄層１４が形成されている。図柄は、ステンドグラスを模したものであって、図３に示すように、ステンドグラスの各ガラス部品に相当する多数の彩色部１５と、各ガラス部品を区画する鉛縁に相当する単色の縁取り部１６とから構成されている。
【００１４】
着色図柄層１４は、焼き付け塗装によって形成されている。焼き付け塗装には、塗装後に６００〜７００℃まで加熱することによって発色するタイプの顔料が用いられている。着色図柄層１４は、スクリーン印刷により、顔料を中間ガラス単板１１に転写させた後、焼き付けることによって形成されている。なお、中間ガラス単板１１への顔料の塗布は、スクリーン印刷に限らず、スプレー、刷毛、筆等を用いてもよい。また、本実施形態では、中間ガラス単板１１の片面のみに着色図柄層１４を形成したが、両面に形成してもよい。
【００１５】
図２は、図３におけるＡ部の拡大図である。中間ガラス単板１１には、その全体に図２に示すようなクラック１７が入れられている。クラック１７は、両ガラス単板１３の間に中間ガラス単板１１及び合成樹脂シート１２を挟んで接着した後、図１に示すように、中間ガラス単板１１の端面に押し当てた先鋭ポンチ１８等を介して中間ガラス単板１１に衝撃を加えることで生成されている。クラック１７は、熱処理ガラスからなる中間ガラス単板１１が粒状に割れることで形成されている。
【００１６】
次に、以上詳述した本実施形態が有する効果を列記する。
（１）  本実施形態の合わせガラス１０は、表面及び裏面を形成する一対のガラス単板１３の間に合成樹脂シート１２を介して中間ガラス単板１１を挟み、中間ガラス単板１１の一面側とガラス単板１３との間に着色図柄層１４を設けている。そして、中間ガラス単板１１にはその全体にクラック１７が入れられている。
【００１７】
このため、中間ガラス単板１１の厚さと、その全体に入れられたクラック１７とによって、ガラス単板１３を通して見える着色図柄層１４の図柄に深みと重厚さが加えられるので、ステンドグラスのように深みがあり、重厚な雰囲気を得ることができる。また、中間ガラス単板１１の全体に入れられたクラック１７によって光が屈折し、見る方向に応じて図柄の表情が変化するので、装飾性が高い。このような合わせガラス１０は、ドアや間仕切り等に用いることにより、その室内の雰囲気に深みと重厚さとを与えることができる。
【００１８】
また、２枚のガラス単板１３と中間ガラス単板１１との間にそれぞれポリビニールブチラールからなる合成樹脂シート１２を挟んで積層された合わせガラス１０なので、ガラス単板１３の破壊時にその飛散を防止することができる。また、合わせガラス１０が、貫通するように破壊され難く、防犯効果が高い。
【００１９】
（２）  中間ガラス単板１１に熱処理ガラスを用いたので、その全体に粒状のクラック１７が入る。このようなクラック１７によって光が乱反射し、見る方向に応じて図柄の表情がより多彩に変化するので、装飾性がより高くなる。
【００２０】
（３）  着色図柄層１４を焼き付け塗装によって形成するので、印刷による着色と異なり、退色し難い。このため、より高い耐久性が得られ、製品寿命が長くなる。
（４）  両ガラス単板１３を高透過ガラスとしたので、図柄がよりはっきり見える。このため、商品性がより高くなる。
【００２１】
また、両ガラス単板１３に酸化チタンを含有させたので、その光触媒作用により、ガラス単板１３の表面に汚れが付きにくい。このため、掃除の手間が軽減される。
なお、本発明を、図４に示す合わせガラス２０、又は、図５に示す合わせガラス３０に具体化してもよい。
【００２２】
図４に示す合わせガラス２０は、ほぼ同じ長方形の中間ガラス２１，２２を３つ並べて一対のガラス単板間に挟み、中央の中間ガラス２１のみにクラック２３を入れたものである。なお、両側の中間ガラス２２には、着色図柄層を設けても設けなくてもよく、また、着色層を設けてもよい。
【００２３】
図５に示す合わせガラス３０は、１枚の中間ガラス３１の中央部に所定の図柄を切り抜き、この切り抜き部に別の中間ガラス３２を嵌め込んだものである。中間ガラス３２には、表層のガラス単板を中間ガラス３１，３２に貼り合わせる前にクラック３３を入れる。なお、中間ガラス３１には、着色図柄層を設けても設けなくてもよく、また、着色層を設けてもよい。
【図面の簡単な説明】
【００２４】
【図１】一実施形態の合わせガラスの部分側面図。
【図２】図３のＡ部拡大図。
【図３】合わせガラスの正面図。
【図４】他の実施形態の合わせガラスを示す正面図。
【図５】同じく合わせガラスを示す正面図。
【符号の説明】
【００２５】
１０…合わせガラス、１１…中間ガラス単板、１２…合成樹脂層としての合成樹脂シート、１３…ガラス単板、１４…着色図柄層、１７…クラック、２０…合わせガラス、２３…クラック、３０…合わせガラス、３３…クラック。
【図１】
2005187238.tif 000003
【図２】
2005187238.tif 000004
【図３】
2005187238.tif 000005
【図４】
2005187238.tif 000006
【図５】
2005187238.tif 000007